(57)【要約】      （修正有）【課題】作業者が簡単にセットでき、外力などにより不用意に脱落せず、且つヘルメットの内側にエアを確実に供給でき、作業に支障を生じ難い送風機付きヘルメットを提供する。【解決手段】ほぼ半球形のヘルメット２の前頭部側または後頭部側に形成された張出し部３と、該張出し部３の内側に位置する給気路２ｃと、該給気路２ｃとヘルメット２の内部２ｂとの間に形成された左右一対の凹溝（被摺動部）４と、該凹溝４の給気路２ｃ側に取り付けられるファン付きモータユニット１０と、を備え、係るファン付きモータユニット１０は、上記凹溝４に摺動可能な左右一対の凸条（摺動部）１２、ヘルメット２の内部２ｂと給気路２ｃとの間を遮蔽する縦壁１１と横壁１３、および該横壁１３に開口する送風口１４を有している。【選択図】図２
0003152441.tif 000002
【実用新案登録請求の範囲】
【請求項１】
ほぼ半球形のヘルメット(２，２ｘ)の前頭部側、後頭部側、あるいは左右の側頭部側の少なくとも１つに形成された張出し部(３，３ａ，３ｂ)と、
上記張出し部(３，３ａ，３ｂ)の内側に位置する給気路(２ｃ)と、
上記給気路(２ｃ)とヘルメット(２，２ｘ)の内部(２ｂ)との間に形成された左右一対の被摺動部(４)と、
上記被摺動部(４)の給気路(２ｃ)側に取り付けられるファン付きモータユニット(１０，１０ｖ)と、を備え、
上記ファン付きモータユニット(１０，１０ｖ)は、上記被摺動部(４)に摺動可能な左右一対の摺動部(１２)、ヘルメット(２，２ｘ)の内部(２ｂ)と給気路(２ｃ)との間を遮蔽する縦壁(１１)と横壁(１３)、および係る横壁(１３)に開口する送風口(１４)を有している、
ことを特徴とする送風機付きヘルメット(１，１ａ)。
【請求項２】
前記ファン付きモータユニット(１０，１０ｖ)は、前記被摺動部である凹溝(４)に係合する前記摺動部である凸条(１２)を、前記縦壁(１１)の左右両側に有している、
請求項１に記載の送風機付きヘルメット(１，１ａ)。
【請求項３】
前記ファン付きモータユニット(１０)のモータ(Ｍ)は、リード線(Ｌ)を介して、電池ケース(３０)内の電池と導通可能とされ、係る電池ケース(３０)は、空いている他の張出し部(３，３ａ，３ｂ)の給気路(２ｃ)内に取り付けられ、または、作業者のベルトに装着され、あるいは、作業服のポケットに収納されている、
請求項１または２に記載の送風機付きヘルメット(１，１ａ)。
【請求項４】
前記モータ付きファンユニット(１０ｖ)は、その縦壁(１１)の給気路(２ｃ)側、あるいは摺動部(１２)の基部側に取り付けた電池ケース(ｖｃ)に補助電源用あるいは主電源用の電池(Ｖ１，Ｖ２)を装入可能としている、
請求項１乃至３の何れか一項に記載のヘルメット用送風機(１，１ａ)。
【請求項５】
前記被摺動部の凹溝(４)を形成する一対の凸片(５)とこれに係合する前記摺動部の凸条(１２)とを貫通する止めネジ(Ｂ)、または外径が変更可能な２重ピン、あるいは、上記凹溝(４)の底面を閉塞する回転可能なストッパによって、取り付け状態にされた前記ファン付きモータユニット(１０，１０ｖ)を固定している、
請求項２乃至４の何れか一項に記載のヘルメット用送風機(１，１ａ)。
【考案の詳細な説明】
【技術分野】
【０００１】
本考案は、作業者が簡単にセットでき、脱落しにくく、ヘルメット内にエアを確実に供給できると共に、作業に支障を生じ難い送風機付きヘルメットに関する。
【背景技術】
【０００２】
屋内外の危険な作業現場や高温を伴う製造工程では、安全性を図るため、保安用ヘルメットの着用が規則などで義務付けられている。しかし、特に、夏季には発汗作用が著しいため、ヘルメットの内側が蒸れ易くなり、且つ汗を流れ落ちるため、適宜ヘルメットを外して汗拭きをせざるを得ない。このため、作業能率が低下したり、注意力が散漫となって、危険を避けるための判断力が低下する、などの問題がある。また、工場内では、工場用扇風機（工場扇）などにより、その付近に居る作業者は、ヘルメット内の蒸れをある程度解消できるが、移動を伴う作業者の場合、屋外は基より屋内でも、上記ヘルメット内の蒸れを防げなかった。
【０００３】
前記ヘルメット内の蒸れを防ぐため、例えば、ヘルメットの後頭部の外側に電池ケースおよび送風ファンを配置し、これらの下部に連なる側面視がほぼＵ字形の送風ダクトをヘルメットの周縁にネジまたはボルトで固定し、該送風ダクトの先端部をヘルメットの内周面に沿って使用者の頭部との間に形成した風路内に臨ませた安全帽が提案さている（例えば、特許文献１参照）。
しかしながら、上記安全帽の場合、使用者は、ヘルメットの後頭部の周縁に、電池ケースや送風ファンを有する前記送風ダクトをネジまたはボルトで固定するという手間が必要であった。そのため、作業者にとって準備作業が繁雑であると共に、上記送風ファンなどがヘルメットの外側に位置することで、衝突や不用意な外力などにより、破損したり、脱落し易いため、実用的ではなかった。
【先行技術文献】
【特許文献】
【０００４】
【特許文献１】特開２００３−１１９６１１号公報（第１〜１１頁、図１〜１３）
【考案の概要】
【考案が解決しようとする課題】
【０００５】
本考案は、背景技術において説明した問題点を解決し、作業者が簡単にセットでき、不用意に脱落せず、且つヘルメットの内側にエアを確実に供給できると共に、作業に支障を生じ難い送風機付きヘルメットを提供する、ことを課題とする。
【課題を解決するための手段および考案の効果】
【０００６】
本考案は、前記課題を解決するため、ファン付きモータユニットをヘルメットの後頭部の内側に設けた仕切壁に対し簡単に着脱可能にセットする、ことに着想して成されたものである。
即ち、本考案の送風機付きヘルメット送風機（請求項１）は、ほぼ半球形のヘルメットの前頭部側、後頭部側、あるいは左右の側頭部側の少なくとも１つに形成された張出し部と、係る張出し部の内側に位置する給気路と、係る給気路とヘルメットの内部との間に形成された左右一対の被摺動部と、係る被摺動部の給気路側に取り付けられるファン付きモータユニットと、を備え、係るファン付きモータユニットは、上記被摺動部に摺動可能な左右一対の摺動部、ヘルメットの内部と給気路との間を遮蔽する縦壁と横壁、および係る横壁に開口する送風口を有している、ことを特徴とする。
【０００７】
これによれば、前記ファン付きモータユニットを前記被摺動部の給気路側に取り付ける(セットする)だけで、上記ユニットの縦壁と横壁とがヘルメットの内部と給気路との間を遮蔽する。そのため、不用意な外力や衝撃により破損したり脱落せず、上記ユニットのモータを駆動してファンを回転させることにより、外気(エア)を給気路の開口部から吸い込み、上記横壁の送風口からヘルメットの内部に送風することができる。従って、作業者が簡単に上記ユニットをセットでき、モータを駆動し且つファンを回転させることで、ヘルメットの内側にエアを供給でき、且つ作業の安全および作業の能率向上を図ることが可能となる。
【０００８】
尚、前記ヘルメットは、前記張り出し部および給気路を、当該ヘルメットの前頭部側のみ、後頭部側のみ、左右の側頭部側の何れか一方にのみ形成する形態のほか、前頭部側と後頭部側との前後一対、あるいは両側頭部側に左右一対を対称に形成した形態も含んでいる。
また、前記ヘルメットには、所要数の前記張り出し部および被摺動部を、各種の樹脂材料により一体に射出成形した形態、あるいは、張り出し部と被摺動部との少なくとも一方をヘルメット本体に接着した形態が含まれる。
更に、前記被摺動部は、例えば、ヘルメット側に設ける凸条あるいは後述する凹溝であり、前記摺動部は、例えば、前記ファン付きモータユニットに設ける凹溝あるいは後述する凸条であって、これらの凹溝と凸条とは、互いに摺動（スライド）しつつ係合する。
また、被摺動部および摺動部は、垂直方向に沿う形態のほか、ヘルメット各部の球面（曲面）に沿ってやや傾斜した形態も含まれる。
加えて、前記ファン付きモータユニットは、例えば、インナーステータおよびアウターロータからなり、後者の外周部に固定した複数のファンにより、送風を成されしめる形態のほか、アウターステータおよびインナーロータからなり、後者の回転軸に連結された外周部に固定した複数のファンにより、送風を行わしめる形態も含まれる。
【０００９】
また、本考案には、前記ファン付きモータユニットは、前記被摺動部である凹溝に係合する前記摺動部である凸条を、前記縦壁の左右両側に有している、送風機付きヘルメット（請求項２）も含まれる。
これによれば、上記モータユニット側における左右一対の凸条を、ヘルメット側における左右一対の凹溝にそれらの下端から挿入して係合し、且つ凹溝に沿って上方に持ち上げるように摺動することで、上記ユニット側の縦壁によってヘルメットの内部と給気路とを遮蔽でき、且つ上記ユニット側の横壁によって、給気路を該給気路上方の空間と遮蔽できる。従って、モータを駆動し且つファンを回転させることで、ヘルメットの内側にエアを確実に供給することができる。
尚、前記ユニットの縦壁と両側に位置する左右一対の凸条とは、同じ平面内に位置する形態のほか、縦壁の両側に一対の凸条をやや斜めに連続させ、全体の断面をほぼ台形状とする形態とすると、ヘルメット内の容積の確保が容易となる。
また、ヘルメット側の凹溝は、ヘルメットの内表面に直に凹溝を設けた形態のほか、互いに平行な一対の凸片をヘルメットの内側に突設した形態としても良い。
【００１０】
更に、本考案には、前記ファン付きモータユニットのモータは、リード線を介して、電池ケース内の電池と導通可能とされ、係る電池ケースは、空いている他の張出し部の給気路内に取り付けられ、または、作業者のベルトに装着され、あるいは、作業服のポケットに収納されている、送風機付きヘルメット（請求項３）も含まれる。
これによれば、電池ケースを、前後一対または左右一対の張出し部を有するヘルメットにおいて、空いている張出し部の給気路内に取り付けるか、ベルトに吊り下げるか、あるいは、作業服のポケットに収納し、前記ファン付きモータユニットのモータを駆動することで、外気をヘルメットの内側に連続した長時間にわたる送風が可能となる。しかも、電池ケースを、空きの給気路内に取り付けたり、ベルトにフックなどを介して吊り下げたり、ポケット内に入れるだけで良く、且つ両手の邪魔になりにくいため、作業に支障が生じる事態も皆無となる。
尚、前記モータのオン・オフは、前記電池ケースの本体、あるいは前記リード線の中間に設けたスイッチによって行われる。
また、前記電池ケース内に収容する電池には、大さな電圧・電流を供給可能なリチウム電池が推奨されるが、これに限定されるものではない。
【００１１】
また、本考案には、前記モータ付きファンユニットは、その縦壁の給気路側、あるいは摺動部の基部側に取り付けた電池ケースに補助電源用あるいは主電源用の電池を装入可能としている、送風機付きヘルメット（請求項４）も含まれる。
これによれば、上記モータ付きファンユニットを被摺動部の給気路側に取り付けるだけで、外気をヘルメットの内部に送風できると共に、作業者の首周りや両手がフリーとなるため、所要の作業を一層容易且つ確実に行うことが可能となる。
尚、上記ユニット側の電池と前記電池ケースの電池と併用することも可能であり、大きな風量が欲しい場合には、電池ケース側の電池を使用し、そうでない場合には、上記ユニット側の電池を使用するように切り替え可能としても良い。また、上記ユニット側の電池には、充電可能なニッケル−水素電池が推奨される。
【００１２】
加えて、本考案には、前記被摺動部の凹溝を形成する一対の凸片とこれに係合する前記摺動部の凸条とを貫通する止めネジ、または外径が変更可能な２重ピン、あるいは、上記凹溝の底面を閉塞する回転可能なストッパによって、取り付け状態にされた前記ファン付きモータユニットを固定している、送風機付きヘルメット（請求項５）も含まれる。
これによれば、上記ファン付きモータユニットは、ヘルメット側の被摺動部である凹溝から下方への脱落を確実に防ぎ、外気をヘルメットの内側に連続して長時間にわたって、安全且つ安定して送風することが可能となる。
尚、外径が変更可能な前記２重ピンは、外側に配置される筒形状で且つ一端面から複数のスリットが軸方向に沿って形成された外筒体と、係る外筒体の内側を軸方向に沿って進退可能に挿入され、且つ一端側に太径部を有するほぼ棒状の内軸体とを備えたものが挙げられる。係る内軸体を軸方向に移動させ、同時に移動する上記太径部により上記スリットの幅を拡大して、外筒体の一端面側を放射方向に拡径して、抜け出し不能とすることで、取り付け状態にある上記モータユニットをヘルメット側の凹溝から脱落する事態を確実に防止できる。
【図面の簡単な説明】
【００１３】
【図１】本考案の送風機付きヘルメットの概略を示す垂直断面図。
【図２】上記ヘルメットの前頭部付近を透視的に示す部分斜視図およびファン付きモータユニットを示す斜視図。
【図３】上記ユニットの概略側面図および電池ケースの斜視図。
【図４】上記ファン付きモータユニットの垂直断面図。
【図５】上記ヘルメットの前頭部付近を示す部分垂直断面図。
【図６】上記ヘルメットの前頭部付近を透視的に示す部分斜視図。
【図７】応用形態のファン付きモータユニットを示す正面図。
【図８】異なる形態のヘルメットの概略を示す平面図。
【考案を実施するための形態】
【００１４】
以下において、本考案を実施するための形態について説明する。
図１は、本考案による一形態の送風機付きヘルメット１の概略を示す垂直断面図、図２は、これに用いるヘルメット（本体）２の前頭部付近を透視的に示す部分斜視図である。
送風機付きヘルメット１は、図１，図２に示すように、ほぼ半球形のヘルメット（本体）２の前頭部側に形成された張出し部３と、係る張出し部３の内側に位置する給気路２ｃと、係る給気路２ｃとヘルメット２の内部２ｂとの間に沿って沿って形成された左右一対の凹溝(被摺動部)４，４と、係る凹溝４，４の給気路２ｃ側に摺動可能にして取り付けられるファン付きモータユニット(以下、単にユニットと称する)１０と、を備えている。尚、上記張出し部３、給気路２ｃ、および凹溝４は、ヘルメット２の後頭部側に形成しても良い。
【００１５】
上記ヘルメット２は、例えば、ＡＢＳ、ＰＣ、あるいはＦＲＰなどの強化プラスチックの射出成形材からなり、張り出し部３、および垂直線（図示せず）に対しやや傾斜した凹溝４，４を一体に有している。このうち、張り出し部３は、側面視においてヘルメット２の外側面２ａの頂部側から周辺部側に向かってカーブして突出する曲面を有し、水平断面は、上側がほぼ円弧形であり、下側がほぼ角形（長方形）である。但し、下部の水平断面もほぼ円弧形としても良い。
尚、図１中の破線で示すように、ヘルメット２の後頭部側にも、更に前記張出し部３および給気路２ｃを前後対称にして形成しても良い。
更に、前記凹溝４は、ヘルメット２を形成しているほぼ半球形体の内側面に沿って突設され且つ互いに平行な一対の凸片５，５間に位置している。係る凹溝４および凸片５，５の上方には、ヘルメット２の内部２ｂと給気路２ｃとを連通する空間７が位置している。該空間７は、側面視がほぼ扇形で、給気路２ｃと連続し、上記ユニット１０から送風されたエアＡをヘルメット２の内部２ｂ側へ送る。
【００１６】
図１，図２に示すように、前記凹溝４，４における給気路２ｃ側には、ユニット１０が摺動可能で且つ着脱可能にして取り付けられる。
係るユニット１０は、図２に示すように、側面視が矩形（四角形）の縦壁１１、その両側から対称で且つやや傾斜して張り出した左右一対の凸条（摺動部）１２、縦壁１１の上端からほぼ水平に延びた横壁１３、およびケース１５を備えている。左右一対の凸条１２は、前記凹溝４と係合可能であり、該凹溝４内にその底面側から個別に挿入され、上方に向かって摺動（スライド）可能である。また、横壁１３は、平面視でケース１５よりも外周側にやや大きく張り出し、各凸条１２に隣接した位置には、凹部１３ａが対称に形成されている。係る横壁１３には、次述する送気路１８と連通する送風口１４が開口している。更に、ケース１５のほぼ中心部には、外気（エア）Ａが進入する円形の吸気口１６が開設されている。
【００１７】
前記ユニット１０の内部は、図３の側面図および図４の垂直断面図に示すように、縦壁１１の給気路２ｃ側に固定され且つ側面視がほぼ円筒形のケース１５と、係るケース１５から上方に接線状に立設する送気路１８と、下方に延びたリード線Ｌに接続されたプラグＰと、を備えている。上記ケース１５は、点対称な一対のフランジ２０を貫通するボルト・ナットあるいはネジ(何れも図示せず)により、縦壁１１の給気路２ｃ側に固定されている。更に、上記送気路１８は、その上端で横壁１３に開口する前記送風口１４と連通している。
【００１８】
図３，図４に示すように、前記ケース１５の内側には、モータＭおよび回転可能な多数（複数）のファンｆが配設されている。モータＭは、ケース１５の背面側から吸気口１６の中心部に向かって立設する軸受け部２７の周囲に円環状に配置した複数の電磁石２８からなるインナーステータと、軸受け部２７に回転自在に支持された回転軸２１の先端側に固定され、全体がほぼ円盤形で且つ断面がほぼハット形の旋回板２２、およびその円筒壁２４の内側にリング状に固定された複数の永久磁石２９とからなるアウターロータにより構成されている。旋回板２２の外周板２６上には、吸気口１６側からケース１５の外周壁側に向かって緩くカーブした多数のファンｆが、全体として渦巻き状となるように固定されている。
尚、上記モータＭは、アウターロータ型のブラシレスモータであるが、インナーロータ型のブラシモータ、あるいはブラシレスモータとしても良い。
【００１９】
図３に示すように、上記モータＭ側のリード線Ｌが接続されたプラグＰには、単体のリード線Ｌにおける一端側のジャック（端子）Ｊが脱着可能に接続され、係るリード線Ｌにおける他端側のジャックＪは、電池ケース３０側のプラグＰに脱着可能に接続される。係る電池ケース３０は、直方体の本体３２内に所望数のリチウム電池（図示せず）を内蔵しており、本体３２の上面に設けたスイッチ３４によって、上記モータＭに対し給電または停電する。尚、図３中において、上記リード線Ｌは、Ｘ−Ｘ間を省略されている。
上記電池ケース３０は、その本体３２を本ヘルメット１を使用する作業者のベルトにフックなどを介して吊り下げて支持したり、あるいは、作業着のポケット内に収納可能である。
あるいは、電池ケース３０は、その本体３２に左右一対の前記凸条１２を突設し、図１で示した前後一対の張出し部３と給気路２ｃとを併有するヘルメット２において、空いている側の給気路２ｃに前記同様にして取り付けても良い。
【００２０】
ここで、前記ユニット１０を、前記ヘルメット２に取り付けるセット作業について、図５の部分垂直断面図、および図６の部分斜視図に基づいて説明する。
先ず、図５の左側に示すように、ユニット１０における一対の凸条１２をヘルメット２側の凹溝４，４にそれらの下端側から挿入して係合した後、更に上向きに摺動させつつ、やや斜め姿勢としたユニット１０を、図示のように、張り出し部３の開口部６から給気路２ｃ内に上向きに持ち上げる。
引き続いて、上記ユニット１０を上向きに持ち上げると、図５中の白抜き矢印の右側に示すように、横壁１３の外周辺が、給気路２ｃの内表面とが全長にわたり接触Ｓし、係る位置で当該ユニット１０が停止する。
同時に、ユニット１０の縦壁１１が、図５の右側と図６に示すように、ヘルメット２の内部２ｂと給気路２ｃとを遮蔽する。この際、各凹溝４を形成する給気路２ｃ側の凸片５の上端部は、横壁１３の凹部１３ａ内に進入している。その結果、空間７を含むヘルメット２の内部２ｂと給気路２ｃとは、縦壁１１と横壁１３とによって遮蔽されるため、これらの間でのリークが防げる。
【００２１】
その結果、前記ユニット１０は、凹溝４の給気路２ｃ側に取り付けられる。同時に、図５の右側と図６に示すように、ユニット１０のケース１５における吸気口１６は、給気路２ｃ内に開口すると共に、横壁１３の送風口１４は、空間７を介して、ヘルメット２の内部２ｂと連通可能となる。係る状態で、図６に示すように、一方の凹溝４を形成する一対の凸片５，５に明けた孔５ａと、ユニット１０側の凸条１２に明けた孔（図示せず）とに対し、止めネジＢを貫通させることで、上記ユニット１０の落下を防止できる。尚、係る止めネジＢに替えて、一方の凹溝４の底面を閉塞する回転可能なストッパ（図示せず）を用いても良い。
そして、ユニット１０のモータＭに、前記リード線Ｌを介して電池ケース３０側から通電して、当該モータＭを駆動すると、図１，図６中の矢印Ａで示すように、外気（エア）Ａは、回転する多数の前記ファンｆによって、給気路２ｃ内に吸い込まれ、吸気口１６からケース１５内に入り、上記ファンｆの圧力に押されて、送気路１８から上向きに送り出され、横壁１３の送風口１４から空間７を経て、ヘルメット２の内側２ｂ内に吹き出される。
【００２２】
以上のような送風機付きヘルメット１によれば、前記ユニット１０を前記凹溝４，４の給気路２ｃ側に取り付けることで、縦壁１１および横壁１３により給気路２ｃとヘルメット２の内部２ｂとが遮蔽され、且つ上記ユニット１０の送気路１８が横壁１３の送風口１４に連通する。そのため、上記ユニット１０のモータＭを駆動してファンｆを回転させることにより、外気Ａを張出し部３内の給気路２ｃから吸い込み、横壁１３の送風口１４からヘルメット２の内部２ｂに送風することができる。しかも、ユニット１０における一対の凸条１２を各凹溝４内に挿入し且つ上向きに摺動して、横壁１３の外周辺を給気路２ｃの内表面に当接Ｓさせるだけで、上記ユニット１０を各凹溝４の給気路２ｃ側に容易且つ迅速に取り付けられ。更に、ユニット１０は、ヘルメット２内に取り付けられるため、不用意な外力により脱落したり、衝突などで破損することがない。従って、作業者が簡単な作業によって前記ユニット１０をヘルメット２内にセットでき、且つ係るヘルメット２の内部２ｂにエアＡを確実に供給できるので、作業の安全および作業の能率向上が図れる。
尚、前記ユニット１０は、前述した操作と逆の操作を行うことで、ヘルメット２の凹溝４，４から容易に取り外すことができる。
【００２３】
図７は、前記ユニット１０の応用形態のファン付きモータユニット（以下、単にユニットと称する）１０ｖの側面（正面）図である。
ユニット１０ｖは、図７に示すように、前記同様の縦壁１１、ケース１５、モータＭ、送気路１８などを備えている。縦壁１１は、図７に示すように、左右の両側に一対の凸条１２を前記ヘルメット２の内部２ｂ側に緩く屈曲して設けており、係る凸条１２のうち、縦壁１１寄りの基部における給気側２ｃの（外）表面には、ほぼ直方体で且つ箱形の電池ケースｖｃが個別に固定されている。また、縦壁１１の底辺には、給気路側２ｃに延びた水平な支持板１１ａが固定され、係る支持板１１ａには、上記一対の電池ケースｖｃに個別に装入された単３のニッケル−水素電池（電池）Ｖ１，Ｖ２との間を、一部が省略されたリード線Ｌを介して直列に結線した回路中のスイッチｓｗが取り付けられている。
【００２４】
以上のようなユニット１０ｖも、前記図５，図６で示した操作を行うことによって、ヘルメット２の前記凹溝４，４に対し、前記同様の摺動操作をし且つ止めネジＢで固定することで、簡単に取り付けたり、逆に取り外すことができる。
上記ユニット１０ｖをヘルメット２における凹溝４，４の給気側２ｃ側に取り付けた後、片手でスイッチｓｗを入力することで、図１，図６に示したように、前記同様に外気Ａをヘルメット２の内部２ｂに吹き込むことができる。しかも、作業者の首周りや両手がフリーとなるため、所要の作業を一層安全、容易、且つ確実に行うことが可能となる。  
尚、ユニット１０ｖは、前記電池ケース３０の電池と併用することも可能であり、大きな風量が欲しい場合には、電池ケース３０側の電池を使用し、そうでない場合には、ユニット１０ｖ側の電池Ｖ１，Ｖ２を使用するようしても良い。
【００２５】
本考案は、以上において説明した各形態に限定されるものではない。
例えば、図８に示すように、左右の側頭部側に張出し部３ａ，３ｂと給気路２ｃを対称に一対形成したヘルメット２ｘとし、一方の張出し部３ａ内の給気路２ｃに前記ユニット１０を取り付け、他方の張出し部３ｂ内の給気路２ｃに前記電池ケース３０を前記同様に取り付けると共に、これらの間を導通する図示しないリード線の中間にスイッチを取り付けた送風機付きヘルメット１ａとしても良い。
【００２６】
上記ヘルメット１ａによれば、左右対称な一対の張出し部３ａ，３ｂ内の給気路２ｃごとに、前記ユニット１０と電池ケース３０とを取り付けるため、左右の重量バランスが取り易くなると共に、作業者の両手もフリーとなる。
また、図１で示したように、ヘルメット２の前頭部側と後頭部側とに前後一対の張出し部３および給気路２ｃを対称に設け、これらの給気路２ｃに前記ユニット１０と電池ケース３０とを上記同様に取り付ける形態としても、上記同様の効果が得られる。
更に、前記凹溝４，４内に凸条１２を摺動させて取り付けた前記ユニット１０の落下を防ぐには、前述した外径が変更可能な２重ピンを用いても良い。
【産業上の利用可能性】
【００２７】
本考案のヘルメット用送風機は、建設現場や高温環境などにおいて従事する作業者の保安用ヘルメットに利用され、特に夏季においてヘルメット内の蒸れやこれに伴う不快感を抑制し、安全且つ快適に作業することが可能となる。
【符号の説明】
【００２８】
１，１ａ…………送風機付きヘルメット
２，２ｘ…………ヘルメット
２ｃ………………給気路
３，３ａ，３ｂ…張り出し部
４…………………凹溝（被摺動部）
５…………………凸片
１０，１０ｖ……ファン付きモータユニット
１１………………縦壁
１２………………凸条（摺動部）
１３………………横壁
１４………………送風口
３０………………電池ケース
Ｂ…………………止めネジ
Ｍ…………………モータ
ｆ…………………ファン
Ｌ…………………リード線
Ｖ１，Ｖ２………電池
ｖｃ………………電池ケース
【図１】
0003152441.tif 000003
【図２】
0003152441.tif 000004
【図３】
0003152441.tif 000005
【図４】
0003152441.tif 000006
【図５】
0003152441.tif 000007
【図６】
0003152441.tif 000008
【図７】
0003152441.tif 000009
【図８】
0003152441.tif 000010